(57)【要約】【課題】さまざまな場所に設置が可能で、かつ、組み立て工程が非常に簡易なアンテナを提供する。【解決手段】アンテナ素子３と信号伝送路と分岐導体９を同一のフレキシブル基板１３で構成し、信号伝送路はストリップ線路構造を有し、ストリップ線路の一端はアンテナ素子３と分岐導体９とに給電する構造となっており、ストリップ線路の中心導体１６はストリップ線路の一端でアンテナ素子３の基部と電気的に接続され、グランド導体１５はストリップ線路の一端で分岐導体９と電気的に接続され、アンテナ素子３はストリップ線路の一端からストリップ線路の中心導体１６を延長する方向に配置された同調周波数の波長の略４分の１の長さの導体で構成され、分岐導体９はストリップ線路の一端よりアンテナ素子３と対向する方向に配置された導体で構成されている。【選択図】図１
2006197072.tif 000002
【特許請求の範囲】
【請求項１】
アンテナ素子と信号伝送路と分岐導体とが同一のフレキシブル基板で構成されており、前記信号伝送路はストリップ線路構造を有し、前記ストリップ線路の一端は前記アンテナ素子と前記分岐導体とに給電する構造となっており、前記ストリップ線路の中心導体は前記ストリップ線路の一端で前記アンテナ素子の基部と電気的に接続され、前記ストリップ線路のグランド導体は前記ストリップ線路の一端で前記分岐導体と電気的に接続され、前記アンテナ素子は前記ストリップ線路の一端から前記ストリップ線路の中心導体を延長する方向に配置された同調周波数の波長の略４分の１の長さの導体で構成され、前記分岐導体は前記ストリップ線路の一端よりアンテナ素子と対向する方向に配置された導体で構成されていることを特徴とするフレキシブルアンテナ。
【請求項２】
前記ストリップ線路の一端に前記ストリップ線路と一体に設けた同軸ケーブルの中心導体と接続する給電面と前記同軸ケーブルの外部導体と接続するグランド面よりなる給電パット部を具備したことを特徴とする請求項１のフレキシブルアンテナ。
【請求項３】
前記ストリップ線路の一端に同軸コネクタ実装パターンを設け同軸コネクタと接続されていることを特徴とする請求項１または２のフレキシブルアンテナ。
【請求項４】
前記アンテナ素子と前記分岐導体の形状を前記ストリップ線路との接続点からそれぞれの開放端に向けて略三角形の素子として構成し、その前記略三角形の素子の最長個所の長さが最低同調周波数の略４分の１波長であることを特徴とする請求項１から３のフレキシブルアンテナ。
【請求項５】
前記アンテナ素子と前記分岐導体の形状を前記ストリップ線路との接続点からそれぞれの開放端に向けて略扇形の素子として構成し、その前記略扇形の素子の最長個所の長さが最低同調周波数の略４分の１波長であることを特徴とする請求項１から３のフレキシブルアンテナ。
【請求項６】
請求項１のフレキシブルアンテナを比誘電率３以下の低損失誘電体に巻きつけ、前記信号伝送路部に同軸線路を接続して、無線機外部に突出したことを特徴とするアンテナ。
【発明の詳細な説明】
【技術分野】
【０００１】
この発明は、主に無線通信機内に内蔵するアンテナに関し、詳細には同調周波数が広帯域であり、かつ、無線機のノイズ源となる漏洩電力を遮断する分岐導体を有し、かつ、フレキシブルな基板材料を使用することから、無線機内のアンテナ実装個所、または、実装形状に寄らず実装可能なアンテナに関する。    
【背景技術】
【０００２】
図１０は例えば特許第２５８３３８０号に示された従来のアンテナであり、図において、１は無線機と接続を行う同軸コネクタ、２は同軸コネクタ１を介して無線機とアンテナ間を接続する同軸ケーブル、３は同軸ケーブル２の中心導体と接続または一体となり長さが同調周波数の４分の１波長の細い導体線で構成されたアンテナ素子、４は長さが同調周波数の４分の１波長の円筒で構成されたスリーブ素子、５はスリーブ素子と同軸ケーブル２の外部導体とをアンテナ素子３の基部側で短絡するショートリング、６、７は同軸ケーブル２の外導体とアンテナ素子３とを絶縁する絶縁スペーサ、８はアンテナ素子３からスリーブ素子４までのアンテナ部を覆うアンテナカバーである。
【０００３】
一般的に同軸ケーブル２に代表される不平衡線路で給電する高周波アンテナとしては上述のようなスリーブアンテナが用いられており、その特徴は、アンテナ素子３を軸とする水平面内で無指向性であり、かつ、ダイポールアンテナの理論値に近い利得を有し、かつ、無線機のノイズ源となる漏洩電力を遮断するスリーブ素子４を有することであり、このことからアンテナを設置した水平面で偏りがなく広範囲の無線通信用に適したアンテナとして使用されている。しかしながら従来技術のアンテナは無線機から突出した外部アンテナとして使用されることが多く、その理由として、無線機内部に設置することでアンテナの同調周波数が変化して性能が劣化することと、全長が無線周波数の波長に対して略２分の１波長必要という電気的要因とスリーブ素子４の固定用絶縁スペーサ７等によりアンテナの屈曲性が失われているという構造的要因からくる小型無線機内への内蔵の困難さが挙げられる。
【０００４】
また、図１１は例えば特開平６−１０４６２６に示された従来技術であり、図において、２は無線機とアンテナ間を接続する同軸ケーブル、３は同軸ケーブル２の中心導体と接続または一体となり長さが同調周波数の４分の１波長の細い導体線で構成されたアンテナ素子、９はアンテナ素子３と電気的に等価な長さで筐体１２内部に設けられた分岐導体、１０は分岐導体９と同軸ケーブル２とをアンテナ素子３の基部側で短絡する接触バネ、１１は同軸ケーブル２を固定するプリント基板、１２は無線機の筐体である。
【０００５】
このようにスリーブ素子４と同等な効果を奏する分岐導体９を筐体に設置する工夫や筐体自身をスリーブとして機能するための寸法にするなどの工夫がなされている。しかしながらこのような構造の場合も無線機からの突出が２分の１波長から４分の１波長になったに過ぎない。
【特許文献１】特許第２５８３３８０号
【特許文献２】特開平６−１０４６２６
【発明の開示】
【発明が解決しようとする課題】
【０００６】
従来のスリーブアンテナは以上のように構成されているので、外観の小型化と内部回路の多様化が求められる無線機に内蔵する用途には不向きであり、かつ、動作する周波数帯域幅が狭く、かつ、部品点数が多いために組み立てコストが非常に高いなどの問題点があった。
【０００７】
本発明の目的は、無線機に内蔵するに際して最適な構成を有するアンテナを提供することにある。つまり、アンテナの同調周波数が広帯域で、かつ、セラミックス等の誘電体による小型化手法を用いずに無線機内部に直線で略２分の１波長分の設置スペースが無くてもフレキシブルな構造でさまざまな設置が可能で、かつ、漏洩電力を抑圧するスリーブ素子と同等な効果を奏する構造を有し、組み立て工程が非常に簡易なアンテナを得ることが課題であった。
【課題を解決するための手段】
【０００８】
上記目的を達成すべく請求項１記載のフレキシブルアンテナは、アンテナ素子と信号伝送路と分岐導体とが同一のフレキシブル基板で構成されており、前記信号伝送路はストリップ線路構造を有し、前記ストリップ線路の一端は前記アンテナ素子と前記分岐導体とに給電する構造となっており、前記ストリップ線路の中心導体は前記ストリップ線路の一端で前記アンテナ素子の基部と電気的に接続され、前記ストリップ線路のグランド導体は前記ストリップ線路の一端で前記分岐導体と電気的に接続され、前記アンテナ素子は前記ストリップ線路の一端から前記ストリップ線路の中心導体を延長する方向に配置された同調周波数の波長の略４分の１の長さの導体で構成され、前記分岐導体は前記ストリップ線路の一端よりアンテナ素子と対向する方向に配置された導体で構成されていることを特徴とする。
【０００９】
上記目的を達成すべく請求項２記載のフレキシブルアンテナは、請求項１記載のフレキシブルアンテナにおいて、前記ストリップ線路の一端に前記ストリップ線路と一体に設けた同軸ケーブルの中心導体と接続する給電面と前記同軸ケーブルの外部導体と接続するグランド面よりなる給電パット部を具備したことを特徴とする。
【００１０】
上記目的を達成すべく請求項３記載のフレキシブルアンテナは、請求項１または２記載のフレキシブルアンテナにおいて、前記ストリップ線路の一端に同軸コネクタ実装パターンを設け同軸コネクタと接続されていることを特徴とする。
【００１１】
上記目的を達成すべく請求項４記載のフレキシブルアンテナは、請求項１から３記載のフレキシブルアンテナにおいて、前記アンテナ素子と前記分岐導体の形状を前記ストリップ線路との接続点からそれぞれの開放端に向けて略三角形の素子として構成し、その前記略三角形の素子の最長個所の長さが最低同調周波数の略４分の１波長であることを特徴とする。
【００１２】
上記目的を達成すべく請求項５記載のフレキシブルアンテナは、請求項１から３記載のフレキシブルアンテナにおいて、前記アンテナ素子と前記分岐導体の形状を前記ストリップ線路との接続点からそれぞれの開放端に向けて略扇形の素子として構成し、その前記略扇形の素子の最長個所の長さが最低同調周波数の略４分の１波長であることを特徴とする。
【００１３】
上記目的を達成すべく請求項６記載のフレキシブルアンテナは、請求項１のフレキシブルアンテナを比誘電率３以下の低損失誘電体に巻きつけ、前記信号伝送路部に同軸線路を接続して、無線機外部に突出したことを特徴とする。
【発明の効果】
【００１４】
上述の通り、請求項１記載の発明により、信号伝送路をストリップ線路の構造とし、ストリップ線路の一端にアンテナ素子と分岐導体とに給電する給電部を設け、アンテナ素子の基部でストリップ線路の中心導体をアンテナ素子に電気的に接続しストリップ線路のグランド導体を分岐導体に電気的に接続することで、スリーブアンテナと同等の機能を平面回路で実現することが可能で、かつ、アンテナ素子とストリップ線路と分岐導体とをフレキシブル基板で構成することにより、アンテナの実装個所や実装形態が自由なフレキシブルアンテナを得ることが可能となり、かつ、アンテナ素子と伝送線路と分岐導体が一体のフレキシブル基板として構成されていることから組み立て工程が不要であり大量生産に最適でコストも安価にすることが可能となる。
【００１５】
上述の通り、請求項２記載の発明により、ストリップ線路の一端にストリップ線路と一体に設けた同軸ケーブルの中心導体と接続する給電面と同軸ケーブルの外部導体と接続するグランド面よりなる給電パットを備えることにより、同軸ケーブルと接続することが可能となる。
【００１６】
上述の通り、請求項３記載の発明により、ストリップ線路の一端に同軸コネクタ実装パターンを一体に備えることにより、同軸ケーブルと接続することが可能となり、かつ、整備性を良好とすることが可能となる。
【００１７】
上述の通り、請求項４記載の発明により、アンテナ素子と分岐導体の形状をストリップ線路との接続点からそれぞれの開放端に向けて略三角形の素子としてその略三角形の素子の最長個所の長さが最低同調周波数の略４分の１波長であることにより、同調周波数の広帯域化が図ることが可能となる。
【００１８】
上述の通り、請求項５記載の発明により、アンテナ素子と分岐導体の形状をストリップ線路との接続点からそれぞれの開放端に向けて略扇形の素子としてその略扇形の素子の最長個所の長さが最低同調周波数の略４分の１波長であることにより、同調周波数の広帯域化が図ることが可能となる。
【００１９】
上述の通り、請求項６記載の発明により、フレキシブルアンテナを比誘電率３以下の低損失誘電体に巻きつけ、信号伝送路部に同軸線路を接続して無線機外部に突出した外部アンテナとして使用する機能を備えることで、内蔵アンテナとして作成したフレキシブルアンテナを外部アンテナ用とすることが可能となる。
【発明を実施するための最良の形態】
【００２０】
図１は本発明の第１の実施例の構成を示すものである。図１において、３はフレキシブル基板１３中に設けられストリップ線路中心導体１６と電気的に接続して長さを同調周波数の波長の略４分の１に設定して分岐導体９と共に電磁波の送受信を行うアンテナ素子を示している。ここで同調周波数とはフレキシブルアンテナ１８と不図示の無線機との接続端からフレキシブルアンテナ１８側をみた入力インピーダンスの整合が取れた一般的にＶＳＷＲ（電圧定在波比）が２以下となり電力効率が約９０％以上となる周波数をさす。９はフレキシブル基板１３の表面に位置して一端はストリップ線路グランド導体１５と絶縁されておりもう一端はスルーホール１７によりストリップ線路グランド導体１５と電気的に接続して長さがアンテナ素子３より短く設定してアンテナ素子３と共に電磁波の送受信を行うと共にアンテナとストリップ線路の平衡―不平衡変換による漏洩電流を遮断する分岐導体を示している。１３は５層の金属導体層を有するポリイミド等を基板材料とするフレキシブル基板を示している。図１２にストリップ線路構成の理解を助けるためのストリップ線路の基本構成の断面図を示す。１４はアンテナ素子３に高周波信号を伝送するストリップ線路であり、１５はストリップ線路１４の構成要素でストリップ線路中心導体１６を中心に挟み込むようにフレキシブル基板１３の基板材料で略平行に離間されて配置したストリップ線路グランド導体であり、１６はストリップ線路１４の特性インピーダンスを略５０Ωにすべくストリップ線路グランド導体１５との離間距離と導体の幅が設定されたストリップ線路中心導体である。図１２に示すストリップ線路１４の基本構成は図１に示す本発明の実施形態で構成しているように５層の金属導体層を有するフレキシブル基板の表面層から数えて２層目から４層目を利用しても実現可能である。図１３に本発明のストリップ線路と分岐導体の位置関係の理解を助けるためのストリップ線路を直交する方向の分岐導体中間部位断面図を示す。９はフレキシブル基板の表面層に設けられた分岐導体であり、１４はストリップ線路グランド導体１５とストリップ線路中心導体１６により構成されるストリップ線路、１５はストリップ線路グランド導体であり、１６はストリップ線路中心導体であり、５層の導体層を有すフレキシブル基板１３により一体に構成されている。ストリップ線路グランド導体１５はストリップ線路中心導体１６と分岐導体９の両方のグランド部として機能しているためストリップ線路中心導体１６と分岐導体９双方の形状や構成が互いに影響を及ぼさない。図１においてに１７はストリップ線路グランド導体１５と分岐導体９とを電気的に短絡するスルーホールである。１８は上記の構成を全て含有するフレキシブルアンテナを示す。
【００２１】
次に上記第１の実施例の動作について説明する。図１において、アンテナ素子３と相対するストリップ線路１４の一端から入力された高周波信号は略５０Ωの特性インピーダンスに設計されたストリップ線路１４を伝送しアンテナ素子３に給電される。ストリップ線路１４のストリップ線路グランド導体１５はアンテナ素子３とストリップ線路中心導体１６との接続点よりもアンテナ素子３側には延長していない。アンテナ素子３はフレキシブル基板１３中に設けられており、その長さは同調周波数の波長の略４分の１の長さに設定することにより同調周波数で共振する。図２、または図３を用いて分岐導体９についての説明をする。１９は同軸ケーブル２の内部導体に直接接続された長さが同調周波数の略４分の１のダイポールアンテナ第１素子であり、２０は同軸ケーブル２の外部導体に直接接続された長さが同調周波数の略４分の１のダイポールアンテナ第２素子であり、２１は同軸ケーブル２から給電された給電電流であり、２２はダイポールアンテナ第１素子１９に流れる第１素子電流であり、２３はダイポールアンテナ第２素子２０から流れる第２素子電流であり、２４はダイポールアンテナ第１素子１９とダイポール第２素子２０により構成されるダイポールアンテナと同軸ケーブル２との平衡―不平衡変換により生じる漏洩電流である。図１において分岐導体９がないアンテナ素子３とストリップ線路１４だけの構成とするとストリップ線路１４は図２のダイポールアンテナ第１素子１９とダイポールアンテナ第２素子２０に同軸ケーブル２で給電した同軸ケーブル２と同様な動作を行うために漏洩電流２４のような平衡―不平衡変換による不要電流が発生してアンテナの放射効率の低下や同軸ケーブル２の長さにより放射パターンが変わる等の悪影響を及ぼす。よって、図１の分岐導体９をスルーホール１７でストリップ線路１４のストリップ線路グランド導体１５と電気的に接続することにより図３に示すような分岐導体９のように動作して給電電流２１とアンテナ素子３に流れる第１素子電流２２とが等しく、かつ、給電電流２１と分岐導体９から流れる第２素子電流２３とが等しいことにより平衡―不平衡変換による不要電流が発生させないように動作する。このときの分岐導体９の長さはスルーホール１７から分岐導体９の開放端を見たインピーダンスが同調周波数で短絡になるように決定し、同調周波数の波長の略４分の１であるアンテナ素子３よりもフレキシブル基板１３の誘電率の影響を受けて短くなる。準マイクロ波帯での試作実験では比誘電率が４．２であるガラスエポキシ基板で製作した分岐導体９の長さは比誘電率が１である自由空間中の同調周波数の波長の４分の１の長さに対して４０％から８０％の長さで良好な結果が得られている。分岐導体９の長さはフレキシブル基板の比誘電率が高いほど短くなり、フレキシブル基板３の厚みが薄くなることで分岐導体９とストリップ線路グランド導体１５との離間間隔が狭くなるほど同様に短くなる傾向がある。
【００２２】
また図１４に示すようにフレキシブルアンテナ１８は３層の導体層を有すフレキシブル基板１３によっても一体に構成することが可能である。５層の導体層を有すフレキシブル基板１３で構成したときと３層の導体層を有すフレキシブル基板１３で構成したときの差異はストリップ線路１４と分岐導体９とスルーホール１７の構成である。具体的に構成を述べると、ストリップ線路中心導体１６を挟む２つのストリップ線路グランド導体１５はストリップ線路１４の一端でスルーホール１７により電気的に接続されており、分岐導体９はフレキシブル基板１３のストリップ線路グランド導体１５と同じ金属導体層に設けられており、かつ、アンテナ素子３と対向する方向にアンテナ素子３よりも短い導体で構成されており、ストリップ線路グランド導体１５をストリップ線路１４の一端においてストリップ線路１４を直交する方向に延長することでストリップ線路グランド導体１５と分岐導体９が電気的に接続されている。図１５にストリップ線路と分岐導体との構成の理解を助けるためのストリップ線路を直交する方向の分岐導体中間部位断面図を示す。９はフレキシブル基板１３のストリップ線路グランド導体１５と同一金属層に設けた分岐導体であり、１４はストリップ線路グランド導体１５とストリップ線路中心導体により構成されるストリップ線路であり、１５はストリップ線路中心導体１６を中心に挟み込むようにフレキシブル基板１３の基板材料で略平行に離間されて配置したストリップ線路グランド導体であり、１６はストリップ線路１４の特性インピーダンスを略５０Ωにすべくストリップ線路グランド導体１５との離間距離と導体の幅が設定されたストリップ線路中心導体である。
【００２３】
次に図１４に示す３層の導体層を有すフレキシブル基板１３の動作について説明する。ストリップ線路１４の動作は図１に示す５層の導体層を有すフレキシブル基板１３と同様であり、ストリップ線路中心導体１６に伝送する高周波信号はストリップ線路グランド導体１５により挟み込まれる構成となっているために外部に漏洩することなく伝送され、逆に外部からの高周波信号に干渉されることなく、かつ、金属体や誘電体の接近により特性が変化しない。ストリップ線路１４の一端のストリップ線路グランド導体１５からアンテナ素子３と対向する方向に逆流する平衡―不平衡変換による不要電流はストリップ線路１４の一端から分岐導体９の開放端をみたインピーダンスが同調周波数で短絡になるように長さを決定するため生じない。このときの分岐導体の長さはフレキシブル基板１３の誘電率の影響を含めてアンテナ素子３よりも短くなる。
【００２４】
更にフレキシブルアンテナ１８の実装方法について図４を用いて説明する。２５は無線機筐体を示し、２６は無線機筐体２５内部に設置したプリント基板を示し、２７は無線機筐体２５に設置された液晶等のディスプレイである。フレキシブルアンテナ１８の最良な実装方法は図４に示すように無線機筐体内部のプリント基板２６やディスプレイ２７等の同調周波数の波長の１０分の１以上の金属導体を有する電波的な遮蔽物から極力離間された位置で直線状に実装する形態がよい。実装手段は貼り付け、または、はめ込み、または、フレキシブルアンテナの非金属部分を用いた筐体へのネジ止め、または、圧接、または、はんだ付等を用いる。このとき分岐導体９からアンテナ素子３を見た方向をフレキシブルアンテナ１８の軸方向とする水平面で略無指向性の放射パターンが構成される。更にフレキシブルアンテナ１８が直線状に設置不可能な無線機筐体２５の場合について図５を用いて説明する。２８は無線機筐体湾曲部であり、２９は無線機筐体屈曲部であり、３０は無線機筐体コの字部である。図５のように無線機内部にアンテナ設置スペースが少ない、または、プリント基板２６やディスプレイ２７が無線機筐体２５内部の容積の大半を占める場合、フレキシブルアンテナ１８をプリント基板２６やディスプレイ２７から極力離間した無線機筐体湾曲部２８に湾曲して設置、または、無線機筐体屈曲部２９に屈曲して設置、または、無線機筐体コの字部３０に折り曲げて設置、または、これらの組合せにより設置することで、安定した性能を有するアンテナの内蔵を行うことができ、更に無線機筐体２５やプリント基板２６の形状が変化した際にもフレキシブルアンテナ１８の実装位置や形状を調節することが可能であることからアンテナ性能の最適化がアンテナの改版なしに簡略に行うことが可能となる。更にアンテナ素子３と分岐導体９に流れる給電電流に対して直交する方向をアンテナ素子３と分岐導体９の電極の幅と定義するとこの幅を広げることにより周波数帯域幅を広くすることが可能であり、上述の無線機筐体２５に設置した際の無線機筐体２５の誘電率や近傍の金属製遮蔽物の影響により同調周波数が変化しても広い周波数帯域幅で仕様の無線周波数をカバーすることが可能であると共に、上述の無線機筐体２５への実装形態の変化についても同様に対応することが可能となる。
【００２５】
更にフレキシブルアンテナ１８の給電方法について図６を用いて説明する。３１はフレキシブルアンテナ１８のストリップ線路１４を延長して設けた不図示の同軸ケーブルと電気的に接続するための給電パットであり、３２は給電パット３１の一部であり不図示の同軸ケーブルの中心導体と電気的に接続する給電面であり、３３は給電パット３１の一部であり不図示の同軸ケーブルの外部導体と電気的に接続するグランド面である。給電面３２はストリップ線路１４のストリップ線路中心導体１６とスルーホールで接続しておりストリップ線路中心導体１６は給電面３２との接続点よりグランド面３３方向には延びていない。また、グランド面３３はストリップ線路１４のストリップ線路グランド導体１５とスルーホールで接続している。このような構成にすることにより、不図示の同軸ケーブルとの接続が容易に行え同軸コネクタを具備している無線モジュールに対応したアンテナとして提供することが可能となる。更に上記給電パット３１の形状を基板実装型の同軸コネクタの推奨ランド形状と同一にすることにより、上述の不図示同軸ケーブルとの接続と同様な効果を得ることが可能となる。
【００２６】
図７は本発明の第２の実施例の構成を示すものである。フレキシブルアンテナ１８を構成しているアンテナ素子３と分岐導体９の形態がストリップ線路１４のアンテナ素子３と分岐導体９それぞれとの接続点から開放端に向けて略三角形の素子として構成し、その前記略三角形の素子の最長個所の長さが最低同調周波数の略４分の１波長となっている。このように構成することにより、周波数帯域幅を広くすることが可能となり、広帯域な周波数帯域幅が必要な無線通信に使用することができる。
【００２７】
図８は本発明の第３の実施例の構成を示すものである。フレキシブルアンテナ１８を構成しているアンテナ素子３と分岐導体９の形態がストリップ線路１４のアンテナ素子３と分岐導体９それぞれとの接続点から開放端に向けて略扇形の素子として構成し、その前記略扇形の素子の最長個所の長さが最低同調周波数の略４分の１波長となっている。このように構成することにより、周波数帯域幅を広くすることが可能となり、広帯域な周波数帯域幅が必要な無線通信に使用することができる。
【００２８】
図９は本発明の第４の実施例の構成を示すものである。２は同軸ケーブルであり、１８は給電パット３１を有するフレキシブルアンテナであり、３１はフレキシブル基板１８と同軸ケーブル２とを接続する給電パットであり、３２は同軸ケーブルの中心導体と電気的に接続される給電面であり、３３は同軸ケーブルの外部導体と電気的に接続されるグランド面であり、３４は比誘電率が３以下の低損失誘電体である。給電パット３１を有すフレキシブルアンテナ１８をストリップ線路１４が延長する方向と低損失誘電体３４の軸方向を略一致した状態で巻き付ける。このとき低損失誘電体３４の一端はフレキシブルアンテナ１８の給電パット３１を覆わないように給電パット３１と同軸ケーブル２と離間すべく構成した不図示のスリット構造を有している。このように構成することにより、低損失誘電体３４は無線機筐体２５のケースと略同じ比誘電率を有すことから無線機内蔵用として製造しているフレキシブルアンテナ１８をそのまま外部アンテナとして使用することが可能であり、より安価な外部アンテナを提供することができる。
【００２９】
また、図９に示す第４の実施例の他の構成を述べると、フレキシブルアンテナ１８に一体に設けた同軸コネクタ実装パターンに表面実装型の同軸コネクタを実装しフレキシブルアンテナ１８と同軸ケーブル２とを接続する。このように構成することにより、フレキシブルアンテナ１８と同軸コネクタとの接続を自動化でき、同軸ケーブルを勘合し低損失誘電体３４に巻きつけるだけで外部アンテナを得ることが可能となる。
【図面の簡単な説明】
【００３０】
【図１】本発明の第１の実施形態である。
【図２】平衡―不平衡電流を説明する図である。
【図３】本発明の分岐導体の効果を説明する図である。
【図４】本発明の第1の実施形態の実装手段を示した図である。
【図５】本発明の第１の実施形態の他の実装手段を示した図である。
【図６】本発明の第１の実施形態の給電手段を示した図である。
【図７】本発明の第２の実施形態を示した図である。
【図８】本発明の第３の実施形態を示した図である。
【図９】本発明の第４の実施形態を示した図である。
【図１０】従来のアンテナ装置の一例を示した図である。
【図１１】従来のアンテナ装置の他の例を示した図である。
【図１２】本発明のストリップ線路構成の一例を示した図である。
【図１３】本発明の第１の実施形態のストリップ線路を直交する方向の分岐導体中間部位断面図である。
【図１４】本発明の第１の実施形態の導体層を３層で構成した場合の実施形態である。
【図１５】本発明の第１の実施形態のストリップ線路を直交する方向の分岐導体中間部位断面図である。
【符号の説明】
【００３１】
１    同軸コネクタ
２    同軸ケーブル
３    アンテナ素子
４    スリーブ素子
５    ショートリング
６    絶縁スペーサ１
７    絶縁スペーサ２
８    アンテナカバー
９    分岐導体
１０  接触バネ
１１  プリント基板
１２  筐体
１３  フレキシブル基板
１４  ストリップ線路
１５  ストリップ線路グランド導体
１６  ストリップ線路中心導体
１７  スルーホール
１８  フレキシブルアンテナ
１９  ダイポールアンテナ第１素子
２０  ダイポールアンテナ第２素子
２１  給電電流
２２  第１素子電流
２３  第２素子電流
２４  漏洩電流
２５  無線機筐体
２６  プリント基板
２７  ディスプレイ
２８  無線機筐体湾曲部
２９  無線機筐体屈曲部
３０  無線機筐体コの字部
３１  給電パット
３２  給電面
３３  グランド面
３４  低損失誘電体
【図１】
2006197072.tif 000003
【図２】
2006197072.tif 000004
【図３】
2006197072.tif 000005
【図４】
2006197072.tif 000006
【図５】
2006197072.tif 000007
【図６】
2006197072.tif 000008
【図７】
2006197072.tif 000009
【図８】
2006197072.tif 000010
【図９】
2006197072.tif 000011
【図１０】
2006197072.tif 000012
【図１１】
2006197072.tif 000013
【図１２】
2006197072.tif 000014
【図１３】
2006197072.tif 000015
【図１４】
2006197072.tif 000016
【図１５】
2006197072.tif 000017